(57)【要約】      （修正有）【課題】  流路途中で第１流出路と第２流出路とに分岐し、かつ該分岐部から第２流出路がその上流側流路と異なる方向へ延びる当該流路の分岐部に設けられ、第１流出路への夾雑物の流出を阻止するスクリーン装置において、狭い場所にも設置できる消費電力の小さいコンパクトなスクリーン装置を提供する。【解決手段】  道路下の雨水吐き室Ｒにおける放流管Ｈの上流側に放流管Ｈに向かって凸になるように湾曲し、かつ略水平に延びる複数のスクリーンバー２０が上下方向に間隔をあけて並設されるスクリーン２と、複数のレーキ５０がスクリーンバー２０間を移動可能なように上下方向に間隔をあけて並設された複数のレーキユニット４と、該レーキユニット４を駆動するチェーン３７を回動させる電動機２９とを設ける。そして、越流堰Ｔを超えた汚水がスクリーン２を通過するときだけ太陽電池６１で蓄えた電力を利用して電動機２９を作動させてレーキユニット４を駆動する。【選択図】  図６
2006144468.tif 000002
【特許請求の範囲】
【請求項１】
流路途中で第１流出路と第２流出路とに分岐し、かつ該分岐部から第２流出路がその上流側流路と異なる方向へ延びる当該流路の分岐部に設けられ、第１流出路への夾雑物の流出を阻止するスクリーン装置であって、
上記流路の分岐部における越流堰上に設けられ、第１流出路に向かって凸になるように湾曲しかつ略水平に延びる複数のスクリーンバーが上下方向に間隔をあけて並設されるスクリーンと、
上記スクリーンの隣り合うスクリーンバー間を移動可能なように上下方向に間隔をあけて並設される複数のレーキと、上記スクリーンの凸面側に配置されて該複数のレーキを支持するレーキ支持部とを有し、上記レーキの先端側でスクリーンに捕捉された夾雑物を掻き取る複数のレーキユニットと、
上記スクリーンの凸面側におけるスクリーンバーの長手方向両端側に配置された駆動側回転体及び従動側回転体と、該駆動側回転体及び従動側回転体の間に巻き掛けられて循環駆動する環状の動力伝達帯状体とを有し、該動力伝達帯状体に間隔をあけて取り付けられた上記各レーキユニットを動力伝達帯状体の循環駆動によりスクリーンに沿わせて移動させて上記レーキを隣り合うスクリーンバー間に長手方向一端側から導入して他端側から導出させるように駆動するレーキユニット駆動手段と、
自然エネルギを電気エネルギに変換する自然エネルギ変換手段と、該自然エネルギ変換手段からの電力を充電する蓄電池とを有する駆動電源と、
上記流路を流れる汚水が上記越流堰を超えて上記第１流出路に流れ込んだことを検出する水位センサと、
上記水位センサからの信号を受け、上記駆動電源を利用してレーキユニット駆動手段を作動させるように指示する制御装置とを備えていることを特徴とするスクリーン装置。
【請求項２】
請求項１に記載のスクリーン装置において、
上記レーキは、隣り合うスクリーンバー間に上記流路の上流側から導入して該第２流出路側から導出させることにより夾雑物を掻き取るように構成されていることを特徴とするスクリーン装置。
【発明の詳細な説明】
【技術分野】
【０００１】
本発明は、汚水の流路に夾雑物を捕捉するために設置するスクリーン装置に関する。
【背景技術】
【０００２】
従来より、この種のスクリーン装置として、例えば、僻地の無電気地域において、熊手式レーキの昇降案内レールに配設され、該レーキの昇降に伴って該レーキを開閉せしめるように構成されたレーキ開閉機構と、レーキを昇降させるための電動機と、太陽電池及び蓄電池を組み合わせてなる駆動電源と、スクリーンの上流側及び下流側の水位差を検知して電動機に作動信号を発する水位センサとを備えたスクリーン装置が知られている（例えば、特許文献１参照）。
【０００３】
このスクリーン装置では、常時、太陽電池で発電された電気エネルギーを蓄電池にて蓄え、水位センサによって下流側と上流側との水位差を検出してスクリーンの目詰まりを検知したときには、上記蓄電池の電力を利用してレーキの昇降運転を自動的に行うものである。
【特許文献１】実公平４−４７２２５号公報
【発明の開示】
【発明が解決しようとする課題】
【０００４】
ところで、従来より、合流式下水道施設において、例えば道路の下に埋設された雨水吐き室の一方の側面に開口した合流管の下流端から汚水としての家庭排水及び雨水が流入し、上記雨水吐き室における汚水が流入する側面と対向する側面に河川等に通じる放流管（第１流出路）の上流端が開口し、雨水吐き室における汚水が流入する側面に直交する側面に遮集管（第２流出路）の上流端が開口し、上記雨水吐き室の底面に設けた所定高さの平面視円弧状の越流堰を越えた汚水が放流管へ流れるようにしたものが知られている。
【０００５】
このような雨水吐き室の越流堰上にスクリーン装置を配置して、越流堰を越えた汚水をスクリーン装置によりろ過した後、放流管から河川等に放流しようとする場合には、通常、雨水吐き室は自動車等が通過する道路の下に設けられるので、上記特許文献１のような大規模なスクリーン装置では、装置が大きすぎて設置できない。また、無電気地帯でなくても、駆動電源を得るために商用電気を利用する電気設備工事を行うことは、全体の工期が長くなり、望ましくない。
【０００６】
また、水車を設けて駆動電源を得ようとすると、水車前後の水位差を利用しなければならず、水位に差がない環境下や、水没してしまうような環境下では、駆動電源を得ることができない。
【０００７】
本発明は斯かる点に鑑みてなされたものであり、その目的とするところは、駆動手段及び駆動電源の構成に工夫を加えることで、道路下の雨水吐き室のような狭い場所にも設置できる消費電力の小さいコンパクトなスクリーン装置を提供することにある。
【課題を解決するための手段】
【０００８】
上記目的を達成するために、自然エネルギを電気エネルギに変換する自然エネルギ変換手段を利用して駆動電力を蓄え、必要なときにだけ駆動手段を駆動するようにした。
【０００９】
具体的には、請求項１の発明では、流路途中で第１流出路と第２流出路とに分岐し、かつ該分岐部から第２流出路がその上流側流路と異なる方向へ延びる当該流路の分岐部に設けられ、第１流出路への夾雑物の流出を阻止するスクリーン装置を対象とする。
【００１０】
そして、上記流路の分岐部における有する越流堰上に設けられ、第１流出路に向かって凸になるように湾曲しかつ略水平に延びる複数のスクリーンバーが上下方向に間隔をあけて並設されるスクリーンと、上記スクリーンの隣り合うスクリーンバー間を移動可能なように上下方向に間隔をあけて並設される複数のレーキと、上記スクリーンの凸面側に配置されて該複数のレーキを支持するレーキ支持部とを有し、上記レーキの先端側でスクリーンに捕捉された夾雑物を掻き取る複数のレーキユニットと、上記スクリーンの凸面側におけるスクリーンバーの長手方向両端側に配置された駆動側回転体及び従動側回転体と、該駆動側回転体及び従動側回転体の間に巻き掛けられて循環駆動する環状の動力伝達帯状体とを有し、該動力伝達帯状体に間隔をあけて取り付けられた上記各レーキユニットを動力伝達帯状体の循環駆動によりスクリーンに沿わせて移動させて上記レーキを隣り合うスクリーンバー間に長手方向一端側から導入して他端側から導出させるように駆動するレーキユニット駆動手段と、自然エネルギを電気エネルギに変換する自然エネルギ変換手段と、該自然エネルギ変換手段からの電力を充電する蓄電池とを有する駆動電源と、上記流路を流れる汚水が上記越流堰を超えて上記第１流出路に流れ込んだことを検出する水位センサと、上記水位センサからの信号を受け、上記駆動電源を利用してレーキユニット駆動手段を作動させるように指示する制御装置とを備えている。
【００１１】
この発明によれば、スクリーンが湾曲しているので、スクリーン装置の幅を拡大することなく、スクリーンの面積を広くすることが可能となり、単位時間当たりのろ過量が増える。このとき、レーキ支持部はスクリーンの凸面側（夾雑物の混入する汚水側と反対側）にあるが、レーキ支持部に支持されたレーキの先端側をスクリーンバー間を移動させてスクリーンに捕捉された夾雑物を掻き取るので、レーキ支持部に夾雑物が絡まることはない。動力伝達帯状体におけるレーキユニット取付部位の間が長くなっても、動力伝達帯状体がスクリーン装置の構成部材に接触することはなく、また、駆動側回転体及び従動側回転体を支持する軸受の長寿命化が図られるとともに、動力伝達帯状体を循環させるのに要する動力が小さくてもよくなる。さらに、動力伝達帯状体の循環駆動により上記レーキユニットをスクリーンに沿わせて移動させるようにしているので、レーキユニット駆動手段が、アームの先端にレーキ支持部を取り付けて回動軸を回動するものに比べてコンパクトとなる。さらに、水位センサによって越流堰を超えた汚水がスクリーンを通過したことを検知したときだけ、太陽電池により蓄電池に蓄えられた電力を利用して電池レーキユニットを駆動しているため、消費電力を最小限にすることができる。
【００１２】
したがって、狭い場所にも配置することができるコンパクトで省電力のスクリーン装置が得られる。
【００１３】
請求項２の発明では、請求項１に記載のスクリーン装置において、上記レーキは、隣り合うスクリーンバー間に上記流路の上流側から導入して該第２流出路側から導出させることにより夾雑物を掻き取るように構成されている。
【００１４】
上記の構成によると、夾雑物は第２流出路側に掻き取られるので、夾雑物を汚水の流れに沿って押し流し易くすることができる。
【発明の効果】
【００１５】
請求項１の発明によれば、スクリーンを湾曲させてスクリーン装置の幅を拡大することなくその面積を広くすると共に、越流堰を超えた汚水がスクリーンを通過するときだけ自然エネルギ変換手段で蓄えた電力を利用して上記動力伝達帯状体によってレーキユニットを駆動している。このため、狭い場所にも配置することができるコンパクトで省電力のスクリーン装置が得られる。
【００１６】
請求項２の発明では、レーキをスクリーンバー間に流路の上流側から導入し、第２流出路側から導出させて第２流出路側に掻き取るようにしたので、夾雑物を汚水の流れに沿って容易に押し流すことができる。
【発明を実施するための最良の形態】
【００１７】
以下、本発明の実施形態を図面に基づいて詳細に説明する。
【００１８】
−スクリーン装置の構成−
図６は、本発明の実施形態に係るスクリーン装置１の概要を示す説明図である。このスクリーン装置１は、太陽の光を受けて電気エネルギーを発生する自然エネルギ変換手段としての太陽電池６１と、該太陽電池６１からの電力を充電する蓄電池６２とを備えた駆動電源６３とを備えている。
【００１９】
図１は、スクリーン装置１が設置された合流式下水道施設の分岐部としての雨水吐き室Ｒを示す。該雨水吐き室Ｒは概ね立方体状をなしていて、例えば道路の下に埋設されている。この雨水吐き室Ｒの側面には、同様に埋設された合流管Ｇの下流端が開口している。該合流管Ｇの上流側には、汚水としての家庭排水及び雨水が流入するようになっており、この汚水が雨水吐き室Ｒに流れ込む。また、雨水吐き室Ｒにおける合流管Ｇの開口に直交する側面には、遮集管Ｓの上流端が開口している。また、雨水吐き室Ｒにおける合流管Ｇが開口する側面と対向する側面には、河川等に通じる放流管Ｈの上流端が開口している。すなわち、上記放流管Ｈは第１流出路を構成し、上記遮集管Ｓは汚水の第２流出路を構成している。
【００２０】
上記雨水吐き室Ｒの底面には、合流管Ｇからの汚水が流入する領域と放流管Ｈ側の領域とを区切るように所定高さの越流堰Ｔが設けられている。この越流堰Ｔは、合流管Ｇ側の領域と放流管Ｈ側の領域とを区切るように、かつ放流管Ｈ側へ向けて湾曲形成されていて、この越流堰Ｔの上面に、図２に示すようにスクリーン装置１が設置されている。
【００２１】
上記雨水吐き室Ｒでは、雨量が少ないときには、合流管Ｇから流れ込んだ汚水は越流堰Ｔを超えることなく、ほとんど全部が遮集管Ｓから汚水処理場へ送られる。一方、雨量が多いときには、汚水処理場の処理能力に限界があるため、合流管Ｇから雨水吐き室Ｒに流れ込んだ汚水が越流堰Ｔを超えて放流管Ｈ側へ流れるようになっている。この越流堰Ｔを超えた汚水が、図３に矢印イで示すようにスクリーン装置１へ向けて流れて該スクリーン装置１によりろ過された後、放流管Ｈから河川等に放流される。
【００２２】
上記スクリーン装置１は、汚水の夾雑物をろ過するためのスクリーン２を備え、このスクリーン２は越流堰Ｔの上面に固定されたフレーム３に取り付けられている。また、このフレーム３には、スクリーン２に捕捉された夾雑物を掻き取る後述のレーキユニット４（本実施形態では５つ配置されている）と、該レーキユニット４を駆動するレーキユニット駆動手段５とが取り付けられている。
【００２３】
上記フレーム３は、越流堰Ｔの幅方向に両端に亘って湾曲して延びる箱状に形成され、また、各スクリーンバー２０は、フレーム３の汚水流れ上流側の壁部に沿うように湾曲しており、これに対応してスクリーン２も湾曲している。図２及び図４に示すように、このフレーム３の汚水流れ上流側（凹面側）の壁部には、該フレーム３の長手方向一側（図２及び図３の左側）近傍から他側（同図の右側）近傍に亘る開口部３ａが形成されている。また、フレーム３の汚水流れ下流側（凸面側）の壁部には、上流側の開口部３ａと同形状の開口部３ｂが形成されている。
【００２４】
上記スクリーン２は、略水平に延びるスクリーンバー２０を上下方向に等間隔に並設して構成されている。各スクリーンバー２０は、フレーム３の長手方向両端に亘って真っ直ぐに延びる細長い板状のものであり、その長手方向両端側が上記フレーム３に固定されている。
【００２５】
図６に示すように、上記フレーム３の長手方向他側には、該フレーム３の上壁から上方へ突出するように電動機２９が配設されている。この電動機２９は減速機を内蔵した周知のものであり、制御装置６４に接続されている。該制御装置６４には、上記蓄電池６２と、雨水吐き室Ｒの越流堰Ｔよりも合流管Ｇ側の領域の水位を検出する水位センサ６５とが接続されている。この水位センサ６５は、汚水の水位が越流堰Ｔを超えて、スクリーン２下端部の水位となったことを検知するようになっている。そして、この水位センサ６５からの汚水の水位が越流堰Ｔを超えたという信号を受けて、制御装置６４が蓄電池６２の電力を利用して電動機２９を起動させるように構成されている。
【００２６】
電動機２９は、その出力軸が上下方向に向くように配置されてフレーム３の上壁に固定されている。図４に示すように、上記電動機２９の下方におけるフレーム３の内部には、電動機２９の出力軸と回転一体に連結された駆動軸３０が上記出力軸と同軸上に配置されている。この駆動軸３０の上端及び下端はフレーム３に取り付けられた軸受部材３２により回転可能に支持されている。上記駆動軸３０には、駆動側回転体としての駆動側スプロケット３１が上下方向に間隔をあけて２つ固定されている。
【００２７】
一方、フレーム３の長手方向一側の内部には、駆動軸３０と平行に延びる従動軸３３及びガイド軸１３３が配置され、この従動軸３３及びガイド軸１３３の上端及び下端が上記駆動軸３０と同様に軸受部材（図示せず）により支持されている。従動軸３３及びガイド軸１３３には、上記駆動軸３０の２つの駆動側スプロケット３１と同じ高さ位置にそれぞれ、従動側回転体としての従動側スプロケット３５と、ガイドスプロケット１３５とが固定されている。したがって、これら駆動側スプロケット３１、従動側スプロケット３５及びガイドスプロケット１３５は、上下方向の回転軸周りに回転するようになっている。なお、上記駆動側スプロケット３１及び従動側スプロケット３５の歯数は同じであり、また、ガイドスプロケット１３５の歯数は、従動側スプロケット３５の歯数よりも少ないものとなっている。
【００２８】
上記上側の駆動側スプロケット３１、従動側スプロケット３５及びガイドスプロケット１３５には、動力伝達帯状体としてのチェーン３７が巻き掛けられている。なお、ガイドスプロケット１３５には、フレーム３の凸面側（背面側）のみにチェーン３７が巻き掛けられている。このチェーン３７は複数のリンク３７ａをピン３７ｂにより連結してなる周知のローラチェーンである。また、下側の駆動側スプロケット３１、従動側スプロケット３５及びガイドスプロケット１３５にも同様のチェーン３７が巻き掛けられていて、電動機２９が起動すると、各駆動側スプロケット３１の回転力がチェーン３７を介して従動側スプロケット３５及びガイドスプロケット１３５に伝達され、このときに上下２本のチェーン３７が同じ速度で一定の軌跡を描きながら、図３の矢印ロの方向に循環する。
【００２９】
また、このスクリーン装置１には、上側チェーン３７を下方から支持する下側案内部材としてのガイドローラ４４が設けられている。該ガイドローラ４４は、図５に示すように、チェーン３７の下方に近接配置された固定側受け部材４１に取り付けられている。該固定側受け部材４１は矩形板状のもので、図３に示すように、フレーム３内部の長手方向両側に１枚ずつ設けられている。各固定側受け部材４１は、チェーン３７の循環軌跡に沿ってスクリーンバー２０の長手方向に延びる矩形状に形成されていて、フレーム３の上壁内面から垂下するステー４３の下端に取り付けられている。
【００３０】
上記ガイドローラ４４は、固定側受け部材４１のスクリーンバー２０側である汚水流れ上流側に、チェーン３７の軌跡に対応して略等間隔に複数配置されている。
【００３１】
各ガイドローラ４４は、互いに同じ円筒状に形成されたものであり、図５に示すように、その回転軸方向両端が一対のＬ字状部材４５により支持され、転動自在に構成されている。上記ガイドローラ４４の外周面には、チェーン３７のピン３７ｂが係合するように窪み４４ａが形成されている。そして、ガイドローラ４４は、その回転軸が略水平かつチェーン３７の移動方向に略直交する方向に向くように配置され、Ｌ字状部材４５の下面が固定側受け部材４１の上面に固定されることにより取り付けられている。各ガイドローラ４４は、チェーン３７の循環軌跡が水平面上に形成されるように高さ位置が設定されている。
【００３２】
また、下側チェーン３７も上記上側チェーン３７と同様にガイドローラ４４により下方から支持されている。この下側のガイドローラ４４が取り付けられる固定側受け部材４１は、フレーム３の下壁内面に立設されたステー４７の上端に取り付けられている。
【００３３】
上記チェーン３７には、図３に示すように、略等間隔に５つのレーキユニット４が取り付けられるようになっている。チェーン３７の周方向に隣り合うレーキユニット４の間隔は、上記スクリーン２のスクリーンバー２０の長さよりも短く設定されている。
【００３４】
上記５つのレーキユニット４は同様に構成されていて、図５に示すように、スクリーンバー２０間を移動して夾雑物を掻き取るように構成された複数のレーキ５０と、概ね上下方向に延びる板状のレーキ支持部材５１とを備えている。上記レーキ５０は板状のものであり、その肉厚は隣り合うスクリーンバー２０の離間寸法よりも若干薄く設定されている。このレーキ５０は、スクリーンバー２０間の隙間に対応して上下方向に間隔をあけて配置され、その基端側が上記レーキ支持部材５１に固定されている。このレーキ５０の先端側は、スクリーンバー２０よりも汚水流れ上流側（つまり、上記スクリーン２の凹面側）へ突出するように形成されている。
【００３５】
すなわち、上記レーキユニット４のレーキ支持部材５１は、上記スクリーン２の凸面側に配置され、上記レーキユニット駆動手段５により駆動されて該スクリーン２に捕捉された夾雑物を各レーキ５０の先端側で掻き取るように構成されている。
【００３６】
また、上記レーキ支持部材５１の上端側は、レーキ５０固定側と反対側へ略直角に折り曲げられ、上側チェーン３７への取付部５１ａとされている。また、レーキ支持部材５１の下端側には、上記取付部５１ａと同方向に延びる取付部材５２が固定されている。これら取付部５１ａ及び取付部材５２は、各レーキ５０が対応するスクリーンバー２０間の隙間に配置された状態で、上側チェーン３７の上面及び下側チェーン３７の上面にそれぞれ接触するように位置付けられている。上記取付部５１ａ及び取付部材５２には、貫通孔（図示せず）が形成され、この貫通孔にチェーン３７のリンク３７ａ連結用のピン３７ｂを嵌入してレーキユニット４がチェーン３７に取り付けられている。
【００３７】
上記チェーン３７に取り付けられた各レーキユニット４は、電動機２９が起動してチェーン３７が循環すると、チェーン３７の循環軌跡に対応して移動する。すなわち、レーキユニット４のレーキ５０は、その先端の移動軌跡を図３に二点鎖線で示すように、スクリーンバー２０間に該スクリーンバー２０の長手方向一端側（合流管Ｇの下流端側）から導入されて他端側（遮集管Ｓの上流端側）から導出された後、枠状フレーム３の汚水流れ下流側へ向かって円弧状の軌跡を描きながら移動する。この枠状フレーム３の汚水流れ下流側へ移動したレーキ５０は、上記ガイドスプロケット１３５にガイドされてフレーム３の長手方向一側端部まで平面視く字状に移動した後、スクリーンバー２０側へ向かって円弧状の軌跡を描きながら移動し、再びスクリーンバー２０間に導入される。
【００３８】
このレーキユニット４が移動するときには、チェーン３７の周方向に隣り合うレーキユニット４の間隔がスクリーンバー２０の長さよりも短く設定されているので、少なくとも１つのレーキユニット４のレーキ５０がスクリーンバー２０間に位置するようになる。このことで、レーキユニット４によりスクリーンバー２０が支持されるため、該スクリーンバー２０が自重により撓むことはなくスクリーンバー２０間の間隔が所期の寸法に保たれる。また、そのように複数のレーキユニット４を設けることで、電動機２９の回転速度を速くせずにスクリーン２に捕捉された夾雑物の掻き取り頻度が十分に得られ、よって、レーキユニット駆動手段５の長寿命化が図られる。
【００３９】
また、このスクリーン装置１には、上側チェーン３７を駆動側スプロケット３１、従動側スプロケット３５及びガイドスプロケット１３５の間で側方から支持する側方案内部材７２が設けられている。図５に示すように、側方案内部材７２は、固定側受け部材４１に固定されている。
【００４０】
上記固定側受け部材４１のスクリーンバー２０側である汚水流れ上流側は、上方へ略直角に折り曲げれられて側方案内部材７２の固定部４１ａを構成している。該固定部４１ａの上端は、チェーン３７のローラ３７ｃと略同じ高さに位置付けられ、この上端部のチェーン３７側に上記側方案内部材７２が固定されている。該側方案内部材７２は、図３に示すように、固定部４１ａの長手方向両端に連続して延びかつスクリーンバー２０の形状に対応して湾曲した棒状のものであり、そのチェーン３７側の面がチェーン３７のローラ３７ｃに接触するように形成されている。この側方案内部材７２により、チェーン３７のスクリーン２側、すなわち汚水流れ上流側を移動している部分がスクリーン２に沿うように支持される。
【００４１】
また、図４に示すように、下側チェーン３７も、上記上側チェーン３７と同様に、スクリーン２に沿うように側方案内部材７２により側方が支持されている。下側の固定側受け部材４１は、フレーム３の下壁内面に立設されたステー４７の上端に取り付けられ、この固定側受け部材４１にはガイドローラ４４が設けられている。
【００４２】
−スクリーン装置の動作−
上記のように構成されたスクリーン装置１の動作を説明すると、常時、太陽電池６１で発電された電気エネルギーは、蓄電池６２に蓄えられる。雨量が少ないときには、雨水吐き室Ｒでは、合流管Ｇから流れ込んだ汚水は越流堰Ｔを超えることなく、ほとんど全部が遮集管Ｓから汚水処理場へ送られる。この場合には、電動機２９は作動していない。
【００４３】
一方、雨量が多いときには、合流管Ｇから雨水吐き室Ｒに流れ込んだ汚水が越流堰Ｔを超え、この汚水がスクリーン２を通過することで、汚水の夾雑物がスクリーン２に捕捉される。この汚水が越流堰Ｔを超えたときには、水位センサ６５により汚水の水位が越流堰Ｔを超える水位となったことが検出され、電動機２９が起動する。
【００４４】
このことで、各駆動側スプロケット３１の回転力がチェーン３７を介して従動側スプロケット３５及びガイドスプロケット１３５に伝達され、上下２本のチェーン３７が同じ速度で一定の軌跡を描きながら循環し、各レーキユニット４のレーキ５０がスクリーンバー２０間を長手方向一側から他側へ移動しながら、スクリーン２に捕捉された夾雑物を掻き取る。このレーキ５０により掻き取られた夾雑物は、スクリーンバー２０の長手方向他側、すなわち図１の雨水吐き室Ｒにおける遮集管Ｓ側へ送られ、該遮集管Ｓを通って汚水処理場へ運ばれる。
【００４５】
−実施形態の効果−
したがって、この実施形態に係るスクリーン装置１では、スクリーン２を湾曲させてスクリーン装置１の幅を拡大することなくその面積を広くしている。また、チェーン３７の弛みがガイドローラ４４により防止されるので、チェーン３７の張力を低くすることができ、チェーン３７を循環させるのに要する動力が小さくてもよくなり、電動機２９を小型化できる。また、ガイドローラ４４はチェーン３７に転がり接触するので、チェーン３７を案内することによる動力の損失を抑えることができる。さらに、チェーン３７をガイドローラ４４により案内させて消費動力を小さくすると共に、越流堰Ｔを超えた汚水がスクリーン２を通過するときだけ太陽電池６１で蓄えた電力を利用して電動機２９を作動させてチェーン３７によってレーキユニット４を駆動している。このため、狭い場所にも配置することができるコンパクトで省電力のスクリーン装置１が得られる。
【００４６】
さらに、レーキをスクリーンバー２０間に合流管Ｇ側から導入し、遮集管Ｓ側から導出させて流路の下流側に掻き取るようにしたので、夾雑物を汚水の流れに沿って容易に押し流すことができる。
【００４７】
−その他の実施形態−
本発明は、上記実施形態について、以下のような構成としてもよい。
【００４８】
すなわち、上記実施形態では、自然エネルギ変換手段として太陽電池６１を使用したが、風力発電機や水力発電機などを用いてもよい。
【００４９】
また、上記実施形態では、レーキユニット駆動手段５をスプロケット３１，３５，１３５及びチェーン３７により構成したが、これに限らず、例えば、駆動軸３０、従動軸３３及びガイド軸１３３にそれぞれ駆動側プーリ、従動側プーリ及びガイドプーリを固定し、これら駆動側プーリ、従動側プーリ及びガイドプーリに動力伝達帯状体としてのベルトを巻き掛けて構成してもよい。
【００５０】
また、上記実施形態では、チェーン３７や固定側受け部材４１に転がり接触するガイドローラ４４により下側案内部材を構成したが、これに代えて、チェーン３７や固定側受け部材４１に摺接する部材により下側案内部材を構成するようにしてもよい。また、チェーン３７に噛み合うように配置されたガイドスプロケットにより下側案内部材を構成してもよい。また、上記実施形態では、側方案内部材７２を設けているが、必ずしもこれを設けなくてもよい。また、上記ガイドスプロケット１３５を設けるのではなく、チェーン３７の汚水流れ下流側にもガイドローラ及び側方案内部材を設けて、チェーン３７における開口部１３ｂ側の循環軌跡をスクリーン２の形状に合わせるようにしてもよい。
【００５１】
さらに、上記実施形態では、合流式下水道施設の雨水吐き室Ｒに設置されるスクリーン装置に本発明を適用したものを示したが、本発明の適用対象となるスクリーン装置は、下水道施設以外の例えば河川の取水路等において、流路途中で第１流出路と第２流出路とに分岐し、かつ該分岐部から第２流出路がその上流側流路と異なる方向へ延びる当該流路の分岐部に設けられる水路に適用することができる。
【産業上の利用可能性】
【００５２】
以上説明したように、本発明に係るスクリーン装置は、例えば、合流式下水道の雨水吐き室における未処理水放流堰上や河川での取水路等に設置するのに適している。
【図面の簡単な説明】
【００５３】
【図１】実施形態に係る合流式下水道施設の雨水吐き室の概略構造を示す斜視図である。
【図２】実施形態に係るスクリーン装置を汚水流れ上流側から見た正面図である。
【図３】図４におけるIII-III線断面図である。
【図４】図３におけるIV−IV線断面図である。
【図５】図３におけるＶ−Ｖ線断面図である。
【図６】実施形態に係るスクリーン装置の概略構造を示す説明図である。
【符号の説明】
【００５４】
１        スクリーン装置
２        スクリーン
４        レーキユニット
５        レーキユニット駆動手段
２０      スクリーンバー
３１      駆動側スプロケット（駆動側回転体）
３５      従動側スプロケット（従動側回転体）
３７      チェーン（動力伝達帯状体）
４１      固定側受け部材
５０      レーキ
５１      レーキ支持部材（レーキ支持部）
６１      太陽電池
６２      蓄電池
６３      駆動電源
６４      制御装置
６５      水位センサ
Ｒ      雨水吐き室（分岐部）
Ｓ      遮集管（本流）
Ｇ      合流管（本流）
Ｈ      放流管（第１流出路）
Ｔ      越流堰
【図１】
2006144468.tif 000003
【図２】
2006144468.tif 000004
【図３】
2006144468.tif 000005
【図４】
2006144468.tif 000006
【図５】
2006144468.tif 000007
【図６】
2006144468.tif 000008